(57)【要約】本発明の実施例は非直交多元接続技術に基づく情報伝送方法、装置及びシステムを提供する。そのうち１つの方法は基地局（ｅＮＢ）に適用され、該方法は、ｅＮＢが同一のリソースを用いてユーザ装置（ＵＥ）に該ＵＥの第１情報及び第２情報を送信するステップと、該ｅＮＢが、該ＵＥに、該ＵＥの第２情報を送信するためのリソースに該ＵＥの第１情報が重畳されていることを該ＵＥに示すための指示情報を送信するステップとを含む。本発明の実施例の方法、装置及びシステムによれば、ＵＥの制御チャネル領域のシステム容量を向上でき、システムの全体的な容量を向上できる。【選択図】図２
2018515022.tif 000002
【特許請求の範囲】
【請求項１】
基地局（ｅＮＢ）に適用される、非直交多元接続技術に基づく情報伝送装置であって、
同一のリソースを用いてユーザ装置（ＵＥ）に前記ＵＥの第１情報及び第２情報を送信する第１送信手段と、
前記ＵＥに、前記ＵＥの第２情報を送信するためのリソースに前記ＵＥの第１情報が重畳されていることを前記ＵＥに示すための指示情報を送信する第２送信手段と、を含む、装置。
【請求項２】
前記リソースは、時間領域リソース、周波数領域リソース、空間領域リソース及び／又は符号領域リソースである、請求項１に記載の装置。
【請求項３】
前記第２送信手段は、前記第２情報又は予め構成された情報を介して前記指示情報を送信する、請求項１に記載の装置。
【請求項４】
前記予め構成された情報は、前記ＵＥの第２情報を送信するためのリソースに前記ＵＥの第１情報が重畳された期間を含む、請求項３に記載の装置。
【請求項５】
ＵＥに適用される、非直交多元接続技術に基づく情報伝送装置であって、
ｅＮＢにより送信された、前記ＵＥの第２情報を送信するためのリソースに前記ＵＥの第１情報が重畳されていることを示すための指示情報を受信する受信手段と、
前記ＵＥの第２情報を送信するためのリソースで前記ＵＥの第２情報を復調し、前記ＵＥの第２情報による干渉をキャンセルし、前記ＵＥの第１情報を取得する処理手段と、を含む、装置。
【請求項６】
ｅＮＢに適用される、非直交多元接続技術に基づく情報伝送装置であって、
ＵＥに前記ＵＥの第１情報又は第２情報を送信する第１送信手段であって、前記第１情報又は第２情報を送信するためのリソースは第３情報を送信するためのリソースと同一である、第１送信手段と、
前記ＵＥに、前記ＵＥの第１情報若しくは第２情報を送信するためのリソースに第３情報が重畳されていることを前記ＵＥに示すための指示情報及び／又は前記第３情報を復調するための識別情報を送信する第２送信手段と、を含む、装置。
【請求項７】
前記識別情報は、
セル無線ネットワーク一時識別子（Ｃ−ＲＮＴＩ）、
セミパーシステントスケジューリング無線ネットワーク一時識別子（ＳＰＳ−ＲＮＴＩ）、
システム情報無線ネットワーク一時識別子（ＳＩ−ＲＮＴＩ）、
ページング無線ネットワーク一時識別子（Ｐ−ＲＮＴＩ）及び
ランダムアクセス無線ネットワーク一時識別子（ＲＡ−ＲＮＴＩ）の何れかである、請求項６に記載の装置。
【請求項８】
前記第３情報は、１つ又は複数の他のＵＥの制御情報である、請求項６に記載の装置。
【請求項９】
前記第２送信手段は、前記ＵＥの第１情報又は第２情報と前記第３情報との重畳が出現するサブフレームにおいて前記指示情報及び／又は前記識別情報を送信し、或いは予め構成された情報を介して前記指示情報及び／又は前記識別情報を送信する、請求項６に記載の装置。
【請求項１０】
前記予め構成された情報は、前記ＵＥの第１情報又は第２情報を送信するためのリソースに前記第３情報が重畳された期間を含む、請求項９に記載の装置。
【請求項１１】
前記リソースは、時間領域リソース、周波数領域リソース、空間領域リソース及び／又は符号領域リソースである、請求項６に記載の装置。
【請求項１２】
ＵＥに適用される、非直交多元接続技術に基づく情報伝送装置であって、
ｅＮＢにより送信された、前記ＵＥの第１情報若しくは第２情報を送信するためのリソースに第３情報が重畳されていることを前記ＵＥに示すための指示情報及び／又は前記第３情報を復調するための識別情報を受信する受信手段と、
前記第３情報を復調するための識別情報を用いて、前記第３情報を送信するためのリソースで前記第３情報を復調し、前記第３情報による干渉をキャンセルし、前記ＵＥの第１情報又は第２情報を取得する処理手段と、を含む、装置。
【請求項１３】
前記処理手段は、前記受信手段が前記ｅＮＢにより送信された前記指示情報のみを受信した場合、前記第３情報を復調するための識別情報を取得し、取得された前記識別情報を用いて、前記第３情報を送信するためのリソースで前記第３情報を復調する、請求項１２に記載の装置。
【請求項１４】
前記処理手段は、前記受信手段が前記ｅＮＢにより送信された前記識別情報のみを受信した場合、前記ＵＥの第１情報又は第２情報を送信するためのリソースに第３情報が重畳されていると決定し、受信された前記識別情報を用いて、前記第３情報を送信するためのリソースで前記第３情報を復調する、請求項１２に記載の装置。
【請求項１５】
前記処理手段は、前記受信手段が前記ｅＮＢにより送信された前記指示情報及び前記識別情報を受信した場合、前記ＵＥの第１情報又は第２情報を送信するためのリソースに第３情報が重畳されていると決定し、受信された前記識別情報を用いて、前記第３情報を送信するためのリソースで前記第３情報を復調する、請求項１２に記載の装置。
【請求項１６】
前記識別情報は、
セル無線ネットワーク一時識別子（Ｃ−ＲＮＴＩ）、
セミパーシステントスケジューリング無線ネットワーク一時識別子（ＳＰＳ−ＲＮＴＩ）、
システム情報無線ネットワーク一時識別子（ＳＩ−ＲＮＴＩ）、
ページング無線ネットワーク一時識別子（Ｐ−ＲＮＴＩ）及び
ランダムアクセス無線ネットワーク一時識別子（ＲＡ−ＲＮＴＩ）の何れかである、請求項１２に記載の装置。
【発明の詳細な説明】
【技術分野】
【０００１】
本発明は、通信技術の分野に関し、特に非直交多元接続技術に基づく情報伝送方法、装置及びシステムに関する。
【背景技術】
【０００２】
非直交多元接続（ＮＯＭＡ：Ｎｏｎ−Ｏｒｔｈｏｇｏｎａｌ  Ｍｕｌｔｉｐｌｅ  Ａｃｃｅｓｓ）技術により、異なるユーザ（ＵＥ：Ｕｓｅｒ  Ｅｑｕｉｐｍｅｎｔ。ユーザ装置、ユーザ、端末又は端末装置とも称される）のデータは異なる電力レベルを用いて同一のリソースで送信することができる。受信側では、ユーザはまず逐次干渉キャンセル（ＳＩＣ）技術を用いて他のユーザの干渉をキャンセルし、そして自分のデータを復調する必要がある。非直交多元接続を実現するために、ユーザ側は同一のリソースに重畳されたユーザデータの送信電力、及び各ユーザデータを送信するために用いられる変調符号化方式を知る必要がある。非直交多元接続技術を用いることで、システム容量を比較的に大きく向上できる。
【０００３】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００４】
現在、非直交多元接続技術では、殆どユーザのデータチャネル（例えばＰＤＳＣＨ（Ｐｈｙｓｉｃａｌ  Ｄｏｗｎｌｉｎｋ  Ｓｈａｒｅｄ  Ｃｈａｎｎｅｌ：物理ダウンリンク共有チャネル））においてユーザのデータの重畳が考慮されるが、同一のユーザのデータチャネル（例えばＰＤＳＣＨ）及び制御チャネル（例えばＰＤＣＣＨ（Ｐｈｙｓｉｃａｌ  Ｄｏｗｎｌｉｎｋ  Ｃｏｎｔｒｏｌ  Ｃｈａｎｎｅｌ：物理ダウンリンク制御チャネル）／ｅＰＤＣＣＨ（ｅｎｈａｎｃｅｄ  ＰＤＣＣＨ：拡張ＰＤＣＣＨ））の重畳、並びに異なるユーザのデータチャネル（例えばＰＤＳＣＨ）及び制御チャネル（例えばＰＤＣＣＨ／ｅＰＤＣＣＨ）の重畳が考慮されていない。このような従来技術はユーザのデータチャネル領域のシステム容量しか向上できない。しかし、実際のシステムでは、ユーザの制御チャネルは通常比較的にロバストな変調復調方式（例えばＱＰＳＫ：Ｑｕａｄｒａｔｕｒｅ  Ｐｈａｓｅ  Ｓｈｉｆｔ  Ｋｅｙｉｎｇ：直交位相シフトキーイング）を用いて送信され、チャネル状況の良いユーザは、制御チャネルに該ユーザ又は他のユーザのデータが重畳されると、該制御チャネルにおけるデータの受信に影響を与えず、ユーザの制御チャネル領域のシステム容量をさらに向上でき、システムの全体的な容量を向上できる。
【０００５】
ユーザの制御チャネル領域のシステム容量の向上という問題を解決するために、本発明の実施例は、非直交多元接続技術に基づく情報伝送方法、装置及びシステムを提供する。
【課題を解決するための手段】
【０００６】
本発明の実施例の第１態様では、基地局（ｅＮＢ）に適用される、非直交多元接続技術に基づく情報伝送方法であって、同一のリソースを用いてユーザ装置（ＵＥ）に前記ＵＥの第１情報及び第２情報を送信するステップと、前記ＵＥに、前記ＵＥの第２情報を送信するためのリソースに前記ＵＥの第１情報が重畳されていることを前記ＵＥに示すための指示情報を送信するステップと、を含む、方法を提供する。
【０００７】
本発明の実施例の第２態様では、ユーザ装置（ＵＥ）に適用される、非直交多元接続技術に基づく情報伝送方法であって、ｅＮＢにより送信された、前記ＵＥの第２情報を送信するためのリソースに前記ＵＥの第１情報が重畳されていることを示すための指示情報を受信するステップと、前記ＵＥの第２情報を送信するためのリソースで前記ＵＥの第２情報を復調し、前記ＵＥの第２情報による干渉をキャンセルし、前記ＵＥの第１情報を取得するステップと、を含む、方法を提供する。
【０００８】
本発明の実施例の第３態様では、基地局（ｅＮＢ）に適用される、非直交多元接続技術に基づく情報伝送方法であって、ＵＥに前記ＵＥの第１情報又は第２情報を送信するステップであって、前記第１情報又は第２情報を送信するためのリソースは第３情報を送信するためのリソースと同一である、ステップと、前記ＵＥに、前記ＵＥの第１情報若しくは第２情報を送信するためのリソースに第３情報が重畳されていることを前記ＵＥに示すための指示情報及び／又は前記第３情報を復調するための識別情報を送信するステップと、を含む、方法を提供する。
【０００９】
本発明の実施例の第４態様では、ユーザ装置（ＵＥ）に適用される、非直交多元接続技術に基づく情報伝送方法であって、ｅＮＢにより送信された、前記ＵＥの第１情報若しくは第２情報を送信するためのリソースに第３情報が重畳されていることを前記ＵＥに示すための指示情報及び／又は前記第３情報を復調するための識別情報を受信するステップと、前記第３情報を復調するための識別情報を用いて、前記第３情報を送信するためのリソースで前記第３情報を復調し、前記第３情報による干渉をキャンセルし、前記ＵＥの第１情報又は第２情報を取得するステップと、を含む、方法を提供する。
【００１０】
本発明の実施例の第５態様では、基地局（ｅＮＢ）に適用される、非直交多元接続技術に基づく情報伝送装置であって、同一のリソースを用いてユーザ装置（ＵＥ）に前記ＵＥの第１情報及び第２情報を送信する第１送信手段と、前記ＵＥに、前記ＵＥの第２情報を送信するためのリソースに前記ＵＥの第１情報が重畳されていることを前記ＵＥに示すための指示情報を送信する第２送信手段と、を含む、装置を提供する。
【００１１】
本発明の実施例の第６態様では、ＵＥに適用される、非直交多元接続技術に基づく情報伝送装置であって、ｅＮＢにより送信された、前記ＵＥの第２情報を送信するためのリソースに前記ＵＥの第１情報が重畳されていることを示すための指示情報を受信する受信手段と、前記ＵＥの第２情報を送信するためのリソースで前記ＵＥの第２情報を復調し、前記ＵＥの第２情報による干渉をキャンセルし、前記ＵＥの第１情報を取得する処理手段と、を含む、装置を提供する。
【００１２】
本発明の実施例の第７態様では、ｅＮＢに適用される、非直交多元接続技術に基づく情報伝送装置であって、ＵＥに前記ＵＥの第１情報又は第２情報を送信する第１送信手段であって、前記第１情報又は第２情報を送信するためのリソースは第３情報を送信するためのリソースと同一である、第１送信手段と、前記ＵＥに、前記ＵＥの第１情報若しくは第２情報を送信するためのリソースに第３情報が重畳されていることを前記ＵＥに示すための指示情報及び／又は前記第３情報を復調するための識別情報を送信する第２送信手段と、を含む、装置を提供する。
【００１３】
本発明の実施例の第８態様では、ＵＥに適用される、非直交多元接続技術に基づく情報伝送装置であって、ｅＮＢにより送信された、前記ＵＥの第１情報若しくは第２情報を送信するためのリソースに第３情報が重畳されていることを前記ＵＥに示すための指示情報及び／又は前記第３情報を復調するための識別情報を受信する受信手段と、前記第３情報を復調するための識別情報を用いて、前記第３情報を送信するためのリソースで前記第３情報を復調し、前記第３情報による干渉をキャンセルし、前記ＵＥの第１情報又は第２情報を取得する処理手段と、を含む、装置を提供する。
【００１４】
本発明の実施例の第９態様では、上記第５態様又は第７態様に記載の非直交多元接続技術に基づく情報伝送装置を含む基地局を提供する。
【００１５】
本発明の実施例の第１０態様では、上記第６態様又は第８態様に記載の非直交多元接続技術に基づく情報伝送装置を含むユーザ装置を提供する。
【００１６】
本発明の実施例の第１１態様では、上記第９態様に記載の基地局及び上記第１０態様に記載のユーザ装置を含む通信システムを提供する。
【００１７】
本発明の実施例の有益な効果としては、ＵＥの制御チャネルに該ＵＥ又は他のＵＥのデータを重畳することで、ＵＥの制御チャネル領域のシステム容量を向上でき、システムの全体的な容量を向上できる。
【００１８】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１９】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２０】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２１】
ここで含まれる図面は、本発明の実施例を理解させるためのものであり、本明細書の一部を構成し、本発明の実施例を例示するためのものであり、文言の記載と合わせて本発明の原理を説明する。なお、ここに説明される図面は、単なる本発明の実施例を説明するためのものであり、当業者にとって、これらの図面に基づいて他の図面を容易に得ることができる。
【図１】従来の物理制御チャネル及び物理データチャネルのリソース位置を示す図である。
【図２】本発明の実施例１の情報伝送方法のフローチャートである。
【図３】実施例１のリソース重畳方式の１つの態様を示す図である。
【図４】本発明の実施例２の情報伝送方法のフローチャートである。
【図５】本発明の実施例３の情報伝送方法のフローチャートである。
【図６】実施例３のリソース重畳方式の１つの態様を示す図である。
【図７】実施例３のリソース重畳方式のもう１つの態様を示す図である。
【図８】本発明の実施例４の情報伝送方法のフローチャートである。
【図９】本発明の実施例５の情報伝送装置の構成を示す図である。
【図１０】本発明の実施例６の情報伝送装置の構成を示す図である。
【図１１】本発明の実施例７の情報伝送装置の構成を示す図である。
【図１２】本発明の実施例８の情報伝送装置の構成を示す図である。
【図１３】本発明の実施例９の基地局の構成を示す図である。
【図１４】本発明の実施例１０のユーザ装置の構成を示す図である。
【図１５】本発明の実施例１１の通信システムのトポロジ構成を示す図である。
【発明を実施するための形態】
【００２２】
本発明の上記及びその他の特徴は、図面及び下記の説明により理解できるものである。明細書及び図面では、本発明の特定の実施形態、即ち本発明の原則に従う一部の実施形態を表すものを公開している。なお、本発明は説明される実施形態に限定されず、本発明は、特許請求の範囲内の全ての修正、変形されたもの、及び均等なものを含む。以下は、図面を参照しながら本発明の各実施例を説明する。これらの実施例は単なる例示的なものであり、本発明を限定するものではない。
【００２３】
本発明の実施例では、リソースは、時間領域リソース、周波数領域リソース、空間領域リソース、符号領域リソース、又は例えば時間周波数領域リソースのような複数の領域を組み合わせたリソースを意味してもよい。図１は従来の物理制御チャネル及び物理データチャネルのリソース位置を示す図である。図１に示すように、従来の物理制御チャネル（例えばＰＤＣＣＨ／ｅＰＤＣＣＨ）と物理データチャネル（例えばＰＤＳＣＨ）は異なるリソース位置にある。
【００２４】
以下は、図面を参照しながら、本発明の実施例の方法、装置及びシステムを説明する。
【００２５】
＜実施例１＞
本発明の実施例は非直交多元接続技術に基づく情報伝送方法を提供し、該方法は基地局（ｅＮＢ）に適用される。図２は該方法のフローチャートであり、図２に示すように、該方法は以下のステップを含む。
【００２６】
ステップ２０１：該ｅＮＢは、同一のリソースを用いてユーザ装置（ＵＥ）に該ＵＥの第１情報及び第２情報を送信する。
【００２７】
ステップ２０２：該ｅＮＢは、該ＵＥに、該ＵＥの第２情報を送信するためのリソースに該ＵＥの第１情報が重畳されていることを該ＵＥに示すための指示情報を送信する。
【００２８】
本実施例では、該ＵＥの第１情報及び第２情報のそれぞれは該ＵＥのＰＤＣＣＨ／ｅＰＤＣＣＨ上のデータ及び該ＵＥのＰＤＳＣＨ上のデータであってもよく、例えば、該ＵＥの第１情報が該ＵＥのＰＤＣＣＨ／ｅＰＤＣＣＨ上のデータであり、該ＵＥの第２情報が該ＵＥのＰＤＳＣＨ上のデータであってもよいし、該ＵＥの第１情報が該ＵＥのＰＤＳＣＨ上のデータであり、該ＵＥの第２情報が該ＵＥのＰＤＣＣＨ／ｅＰＤＣＣＨ上のデータであってもよい。
【００２９】
説明の便宜上、以下は、該ＵＥの第１情報が該ＵＥのＰＤＳＣＨに対応し、該ＵＥの第２情報が該ＵＥのＰＤＣＣＨ／ｅＰＤＣＣＨに対応することを一例にして説明する。
【００３０】
本実施例では、該ｅＮＢは、非直交多元接続技術を用い、異なる電力レベルで同一のリソース上で該ＵＥのＰＤＣＣＨ／ｅＰＤＣＣＨ及びＰＤＳＣＨを送信する。
【００３１】
図３はＵＥ１のＰＤＣＣＨ／ｅＰＤＣＣＨとＰＤＳＣＨの重畳の１つの態様を示す図である。図３に示すように、該ＵＥ１のＰＤＣＣＨ／ｅＰＤＣＣＨとＰＤＳＣＨが同一のリソースに位置し、ＰＤＣＣＨ／ｅＰＤＣＣＨに割り当てられた電力がＰ１であり、ＰＤＳＣＨに割り当てられた電力がＰ２である。本実施例では、該ＵＥ１がＰＤＣＣＨ／ｅＰＤＣＣＨ及びＰＤＳＣＨでキャリーされたデータを復調するのを補助するために、該ｅＮＢは該ＵＥ１に上記指示情報を送信し、上記指示情報を介して、該ＵＥ１のＰＤＣＣＨ／ｅＰＤＣＣＨに該ＵＥ１のＰＤＳＣＨがさらに重畳されていることを該ＵＥ１に通知する。よって、該ＵＥ１が該指示情報を受信した場合、まずそのＰＤＣＣＨ／ｅＰＤＣＣＨでキャリーされたデータを復調して、同一のリソースで他のＰＤＣＣＨ／ｅＰＤＣＣＨによる干渉をキャンセルして、該リソースに重畳されたＰＤＳＣＨ上でキャリーされた該ＵＥ１のデータを復調する。ここで、該ＵＥ１は、逐次干渉キャンセル（ＳＩＣ）技術を用いてそのＰＤＣＣＨ／ｅＰＤＣＣＨによる干渉をキャンセルしてもよいし、他の技術を用いてそのＰＤＣＣＨ／ｅＰＤＣＣＨによる干渉をキャンセルしてもよい。
【００３２】
本実施例では、該ｅＮＢは、該ＵＥに上記指示情報を送信すると共に、ＵＥが該ＰＤＣＣＨ／ｅＰＤＣＣＨ及びＰＤＳＣＨの復調を行うように、さらに上記ＰＤＣＣＨ／ｅＰＤＣＣＨ及びＰＤＳＣＨの電力割り当て及びそれぞれの変調復調方式をＵＥに通知してもよい。ここで、具体的な通知方式に限定されず、詳細は非直交多元接続技術を参照してもよい。
【００３３】
本実施例では、上述したように、該リソースは、時間領域リソース、周波数領域リソース、空間領域リソース及び／又は符号領域リソースであってもよい。ここで、「同一のリソース」は、上記第１情報又は第２情報を送信可能なリソースについて、いずれの領域でもリソースが完全に同一であることを意味する。例えば、上記第１情報又は第２情報を送信可能なリソースが時間領域リソース、周波数領域リソース及び符号領域リソースである場合、１つの領域又は２つの領域のリソースのみが同一であるのは十分ではなく、同一のリソースを満たすために上記３つの領域のリソースが全て同一である必要はある。
【００３４】
本実施例の１つの態様では、上記指示情報は上記第２情報を介して送信されもよい。例えば、上記指示情報は、該ＵＥに送信されるＰＤＣＣＨ／ｅＰＤＣＣＨにおいて送信されてもよく、ここで、該ＰＤＣＣＨ／ｅＰＤＣＣＨに該ＵＥのＰＤＳＣＨがさらに重畳されている。
【００３５】
本実施例のもう１つの態様では、上記指示情報は予め構成された情報を介して送信されもよい。即ち、上記指示情報は予め構成されたものであり、該ＵＥが該予め構成された情報を受信した場合、ｅＮＢから該ＵＥに送信されたＰＤＣＣＨ／ｅＰＤＣＣＨを受信したときに、まず自分のＰＤＣＣＨ／ｅＰＤＣＣＨでキャリーされたデータを復調して、同一のリソース位置において、干渉キャンセル技術を用いて該ＰＤＣＣＨ／ｅＰＤＣＣＨによる干渉をキャンセルして、自分のＰＤＳＣＨでキャリーされたデータを復調する。
【００３６】
ここで、該予め構成された情報は、該ＵＥの第２情報を送信するためのリソースに該ＵＥの第１情報が重畳された期間をさらに含んでもよい。言い換えれば、該予め構成された情報は、このようなＰＤＣＣＨ／ｅＰＤＣＣＨとＰＤＳＣＨの重畳の方式の期間、例えば所定数のサブフレームをさらに指定してもよく、即ち、該所定数のサブフレームにおいてこのようなデータ重畳の方式を用いてデータを送信してもよい。これによって、データ重畳方式の期間を制限することで、情報伝送方式を柔軟に選択できる。
【００３７】
本実施例の方法はＵＥの制御チャネルに該ＵＥのデータを重畳することで、ＵＥの制御チャネル領域のシステム容量を向上でき、システムの全体的な容量を向上できる。
【００３８】
＜実施例２＞
本発明の実施例は非直交多元接続技術に基づく情報伝送方法を提供し、該方法はユーザ装置（ＵＥ）に適用され、実施例１の方法のＵＥ側の処理に対応し、実施例１と同様な内容について説明が省略される。図４は該方法のフローチャートであり、図４に示すように、該方法は以下のステップを含む。
【００３９】
ステップ４０１：該ＵＥは、ｅＮＢにより送信された、該ＵＥの第２情報を送信するためのリソースに該ＵＥの第１情報が重畳されていることを示すための指示情報を受信する。
【００４０】
ステップ４０２：該ＵＥは、該ＵＥの第２情報を送信するためのリソースで該ＵＥの第２情報を復調し、該ＵＥの第２情報による干渉をキャンセルし、該ＵＥの第１情報を取得する。
【００４１】
ここで、第１情報、第２情報、指示情報の内容及び送信方式は実施例１と同様であり、その内容をここで援用し、ここでその説明を省略する。
【００４２】
本実施例では、ＵＥが上記指示情報を受信した場合、該ＵＥの第２情報を送信するためのリソースに該ＵＥの第１情報が重畳されていることを知ることができる。よって、該第１情報及び該第２情報を取得するために、ＵＥは、該第２情報を送信するためのリソースで該第２情報を復調し、第２情報を取得して、該第２情報による干渉をキャンセルして、同様に該第２情報を送信するためのリソースで該第１情報を復調し、第１情報を取得してもよい。
【００４３】
ここで、実施例１で述べたように、該ＵＥは、干渉キャンセル技術を用いて上記第２情報による干渉をキャンセルしてもよいし、他のキャンセル技術を用いて上記第２情報による干渉をキャンセルしてもよい。
【００４４】
ここで、実施例１で述べたように、該第１情報及び第２情報を復調するために必要な情報、例えば電力割り当て方式、並びに第１情報及び第２情報それぞれの変調復調方式なども、ｅＮＢにより従来の非直交多元接続技術を用いて送信され、ここでその説明を省略する。
【００４５】
本実施例の方法はＵＥの制御チャネルに該ＵＥのデータを重畳することで、ＵＥの制御チャネル領域のシステム容量を向上でき、システムの全体的な容量を向上できる。
【００４６】
＜実施例３＞
本発明の実施例は非直交多元接続技術に基づく情報伝送方法を提供し、該方法は基地局（ｅＮＢ）に適用される。図５は該方法のフローチャートであり、図５に示すように、該方法は以下のステップを含む。
【００４７】
ステップ５０１：該ｅＮＢは、ＵＥに該ＵＥの第１情報又は第２情報を送信する。該第１情報又は第２情報を送信するためのリソースは第３情報を送信するためのリソースと同一である。
【００４８】
ステップ５０２：該ｅＮＢは、該ＵＥに、該ＵＥの第１情報若しくは第２情報を送信するためのリソースに第３情報が重畳されていることを該ＵＥに示すための指示情報及び／又は該第３情報を復調するための識別情報を送信する。
【００４９】
本実施例では、該第１情報及び該第２情報の意味は実施例１と同様であり、例えば、該第１情報が該ＵＥのＰＤＳＣＨ上のデータであり、該第２情報が該ＵＥのＰＤＣＣＨ／ｅＰＤＣＣＨ上のデータであってもよいし、第１情報が該ＵＥのＰＤＣＣＨ／ｅＰＤＣＣＨ上のデータであり、第２情報が該ＵＥのＰＤＳＣＨ上のデータであってもよい。
【００５０】
本実施例では、該第３情報は、該ＵＥの第１情報及び第２情報と異なる他の情報、例えば、他のＵＥのＣ−ＲＮＴＩ、ＳＩ−ＲＮＴＩ、ＳＰＳ−ＲＮＴＩ、ＲＡ−ＲＮＴＩ又はＰ−ＲＮＴＩによりスクランブルされたＰＤＣＣＨ／ｅＰＤＣＣＨ上のデータを意味する。
【００５１】
本実施例では、実施例１におけるｅＮＢが同一のリソースを用いて同一のＵＥのＰＤＳＣＨ及びＰＤＣＣＨ／ｅＰＤＣＣＨを送信することと異なって、本実施例では、該ｅＮＢは、同一のリソースを用いて異なるＵＥのＰＤＳＣＨ及びＰＤＣＣＨ／ｅＰＤＣＣＨを送信する。例えば、該ｅＮＢは、図６に示すように、ＵＥ２のＰＤＳＣＨとＵＥ１のＰＤＣＣＨ／ｅＰＤＣＣＨを同一のリソースに重畳して送信し、この例では、ＵＥ２が該ＵＥであり、ＵＥ１が該他のＵＥである。他の例では、該ｅＮＢは、図７に示すように、ＵＥ２のＰＤＳＣＨとＵＥ１のＰＤＣＣＨ／ｅＰＤＣＣＨ及びＵＥ３のｅＰＤＣＣＨを同一のリソースに重畳して送信し、この例では、ＵＥ２が該ＵＥであり、ＵＥ１及びＵＥ３が該他のＵＥである。
【００５２】
ここで、実施例１と同様に、ここのリソースは、時間領域リソース、周波数領域リソース、空間領域リソース及び／又は符号領域リソースを含み、ここの同一は、利用可能なリソースがいずれの領域でも同一であることを意味する。
【００５３】
本実施例では、ｅＮＢは、１つのＵＥのＰＤＳＣＨ又はＰＤＣＣＨ／ｅＰＤＣＣＨと他のＵＥ（１つ又は複数）のＰＤＣＣＨ／ｅＰＤＣＣＨを同一のリソースに重畳して送信し、該ＵＥのチャネルリソースを十分に利用することで、システムの全体的な容量を向上できる。
【００５４】
本実施例では、ＵＥがそのデータを正しく復調するのを確保するために、該ｅＮＢはＵＥに指示情報及び／又は識別情報をさらに送信する。ここの指示情報は、該ＵＥの第１情報又は第２情報を送信するためのリソースに第３情報が重畳されていることを該ＵＥに示すために用いられ、ここの識別情報は、該第４情報を復調するために用いられる。
【００５５】
１つの態様では、該ｅＮＢはＵＥに上記指示情報のみを送信する。この場合は、ＵＥは、上記識別情報を用いて上記第３情報を復調するように、上記第３情報を復調するための該識別情報をさらに取得する必要がある。
【００５６】
もう１つの態様では、該ｅＮＢはＵＥに上記識別情報のみを送信すると、該識別情報は該ＵＥの第１情報又は第２情報を送信するためのリソースに第３情報が重畳されていることを暗黙的に示している。この場合は、ＵＥは受信された該識別情報を直接用いて上記第３情報を復調してもよい。
【００５７】
もう１つの態様では、該ｅＮＢはＵＥに上記指示情報及び上記識別情報を送信する場合、該ＵＥは、該指示情報に基づいて、該ＵＥの第１情報又は第２情報を送信するためのリソースに第３情報が重畳されていると決定し、該識別情報を用いて上記第３情報を復調する。
【００５８】
本実施例では、上記識別情報は、セル無線ネットワーク一時識別子（Ｃ−ＲＮＴＩ：Ｃｅｌｌ−Ｒａｄｉｏ  Ｎｅｔｗｏｒｋ  Ｔｅｍｐｏｒａｒｙ  Ｉｄｅｎｔｉｆｉｅｒ）、セミパーシステントスケジューリング無線ネットワーク一時識別子（ＳＰＳ−ＲＮＴＩ：Ｓｅｍｉ  Ｐｅｒｓｉｓｔｅｎｔ  Ｓｃｈｅｄｕｌｉｎｇ−ＲＮＴＩ）、システム情報無線ネットワーク一時識別子（ＳＩ−ＲＮＴＩ：Ｓｙｓｔｅｍ  Ｉｎｆｏｒｍａｔｉｏｎ−ＲＮＴＩ）、ページング無線ネットワーク一時識別子（Ｐ−ＲＮＴＩ：Ｐａｇｉｎｇ−ＲＮＴＩ）及びランダムアクセス無線ネットワーク一時識別子（ＲＡ−ＲＮＴＩ：Ｒａｎｄｏｍ  Ａｃｃｅｓｓ−ＲＮＴＩ）の何れか又は任意の組み合わせであってもよいが、本実施例はこれに限定されない。
【００５９】
以下は、図６を一例にして、本実施例の方法を説明する。
【００６０】
図６に示すように、該ｅＮＢはＵＥ１のＰＤＣＣＨ／ｅＰＤＣＣＨとＵＥ２のＰＤＳＣＨを同一のリソースに重畳して送信する。ここで、ＵＥ１のＰＤＣＣＨ／ｅＰＤＣＣＨに割り当てられた電力はＰ１であり、ＵＥ２のＰＤＳＣＨに割り当てられた電力はＰ２である。ＵＥ２がそのＰＤＳＣＨでキャリーされたデータを復調するのを補助するために、該ｅＮＢは、ＵＥ１のＰＤＣＣＨ／ｅＰＤＣＣＨ及びＵＥ２のＰＤＳＣＨに関する電力、並びにＵＥ１のＰＤＣＣＨ／ｅＰＤＣＣＨ及びＵＥ２のＰＤＳＣＨの変調復調方式をＵＥ２に通知することだけではなく、ＵＥ１のＰＤＣＣＨ／ｅＰＤＣＣＨを復調するために必要なユーザ識別子に関する情報、例えばＵＥ１のＣ−ＲＮＴＩ、ＳＰＳ−ＲＮＴＩ、ＳＩ−ＲＮＴＩ、Ｐ−ＲＮＴＩ、ＲＡ−ＲＮＴＩ等をＵＥ２にさらに送信する。ＵＥ２は、上記情報を受信した場合、ＵＥ１のＰＤＣＣＨ／ｅＰＤＣＣＨでキャリーされたデータを復調して、該ＵＥ１のＰＤＣＣＨ／ｅＰＤＣＣＨでキャリーされたデータをキャンセルして、自分のＰＤＳＣＨでキャリーされたデータを復調してもよい。同様に、該ＵＥは、逐次干渉キャンセル（ＳＩＣ）技術を用いてＵＥ１のＰＤＣＣＨ／ｅＰＤＣＣＨによる干渉をキャンセルしてもよいし、他の技術を用いてもよい。
【００６１】
ここで、実施例１と同様に、ｅＮＢは、従来の非直交多元接続技術を用いてＵＥ２にＵＥ１のＰＤＣＣＨ／ｅＰＤＣＣＨの電力及びＵＥ２のＰＤＳＣＨの電力、並びにＵＥ１のＰＤＣＣＨ／ｅＰＤＣＣＨ及びＵＥ２のＰＤＳＣＨの変調復調方式を送信してもよい。
【００６２】
また、図６はＵＥ２のＰＤＳＣＨと重畳したＰＤＣＣＨ／ｅＰＤＣＣＨが１つのＵＥ（即ちＵＥ１）に関するものの例であるが、本実施例はこれに限定されなく、上述したように、複数のＵＥ（例えばＵＥ１及びＵＥ３）に関するものであってもよい。
【００６３】
本実施例の１つの態様では、上記指示情報及び／又は上記識別情報は、該ＵＥの上記第１情報又は上記第２情報と上記第３情報との重畳が出現するサブフレームにおいて送信されてもよく、即ち、該ＵＥ１のＰＤＣＣＨ／ｅＰＤＣＣＨとＵＥ２のＰＤＳＣＨとの重畳が出現するサブフレームにおいて送信されてもよい。
【００６４】
本実施例のもう１つの態様では、上記指示情報及び／又は上記識別情報は予め構成された情報を介して送信されてもよい。即ち、上記指示情報及び／又は上記識別情報は予め構成されたものであり、該ＵＥは、該予め構成された情報を受信した場合、各サブフレームにおいて第３情報（ＰＤＣＣＨ／ｅＰＤＣＣＨ）を復調して、該第３情報（ＰＤＣＣＨ／ｅＰＤＣＣＨ）による干渉をキャンセルした後に、自分の第１情報又は第２情報（ＰＤＳＣＨ）でキャリーされたデータを復調してもよい。
【００６５】
ここで、該予め構成された情報は、該ＵＥの第１情報又は第２情報を送信するためのリソースに該第３情報が重畳された期間をさらに含んでもよい。言い換えれば、該予め構成された情報は、このようなＰＤＣＣＨ／ｅＰＤＣＣＨ（第３情報）とＰＤＳＣＨ（第１情報又は第２情報）との重畳の方式の期間、例えば所定数のサブフレームをさらに指定してもよく、即ち、該所定数のサブフレームにおいてこのようなデータ重畳の方式を用いてデータを送信してもよい。これによって、データ重畳方式の期間を制限することで、情報伝送方式を柔軟に選択できる。
【００６６】
本実施例の方法は、ＵＥの制御チャネル又はデータチャネルに他のＵＥの制御チャネル上のデータを重畳することで、ＵＥの制御チャネル領域又はデータチャネル領域のシステム容量を向上でき、システムの全体的な容量を向上できる。
【００６７】
＜実施例４＞
本発明の実施例は非直交多元接続技術に基づく情報伝送方法を提供し、該方法はユーザ装置（ＵＥ）に適用され、実施例３の方法のＵＥ側の処理に対応し、実施例３と同様な内容について説明が省略される。図８は該方法のフローチャートであり、図８に示すように、該方法は以下のステップを含む。
【００６８】
ステップ８０１：該ＵＥは、ｅＮＢにより送信された、該ＵＥの第１情報若しくは第２情報を送信するためのリソースに第３情報が重畳されていることを該ＵＥに示すための指示情報及び／又は該第３情報を復調するための識別情報を受信する。
【００６９】
ステップ８０２：該ＵＥは、該第３情報を復調するための識別情報を用いて、該第３情報を送信するためのリソースで該第３情報を復調し、該第３情報による干渉をキャンセルし、該ＵＥの第１情報又は第２情報を取得する。
【００７０】
ここで、第１情報、第２情報、第３情報、指示情報、標識情報の内容及び送信方式は実施例３と同様であり、その内容をここで援用し、ここでその説明を省略する。
【００７１】
本実施例では、ＵＥが上記指示情報のみを受信した場合、該ＵＥは、上記第３情報を復調するように、上記識別情報をさらに取得する必要がある。本実施例では、該ＵＥによる上記識別情報の取得方法が限定されない。ここで、ＵＥは、上記識別情報を取得した後に、該識別情報、並びにｅＮＢにより送信された該第３情報の送信電力及び変調復調方式を用いて、該第３情報を復調して、該第３情報による干渉をキャンセルして、ｅＮＢにより送信された該第１情報又は第２情報の送信電力及び変調復調方式を用いて、自分の第１情報又は第２情報を復調する。
【００７２】
本実施例では、ＵＥが上記識別情報のみを受信した場合、該識別情報が該ＵＥの第１情報又は第２情報を送信するためのリソースに第３情報が重畳されていることを暗黙的に示しているため、該ＵＥは、直接該識別情報、並びにｅＮＢにより送信された該第３情報の送信電力及び変調復調方式を用いて、該第３情報を復調して、該第３情報による干渉をキャンセルして、ｅＮＢにより送信された該第１情報又は第２情報の送信電力及び変調復調方式を用いて、自分の第１情報又は第２情報を復調してもよい。
【００７３】
本実施例では、ＵＥが上記指示情報及び上記識別情報を受信した場合、該ＵＥは、直接該識別情報、並びにｅＮＢにより送信された該第３情報の送信電力及び変調復調方式を用いて、該第３情報を復調して、該第３情報による干渉をキャンセルして、ｅＮＢにより送信された該第１情報又は第２情報の送信電力及び変調復調方式を用いて、自分の第１情報又は第２情報を復調してもよい。
【００７４】
本実施例の方法は、ＵＥの制御チャネル又はデータチャネルに他のＵＥの制御チャネル上のデータを重畳することで、ＵＥの制御チャネル領域又はデータチャネル領域のシステム容量を向上でき、システムの全体的な容量を向上できる。
【００７５】
＜実施例５＞
本発明の実施例は非直交多元接続技術に基づく情報伝送装置をさらに提供し、該装置はｅＮＢに適用される。該装置の課題解決の原理は実施例１の方法と同様であるため、その具体的な実施は実施例１の方法の実施を参照してもよく、同様な内容について説明を省略する。
【００７６】
図９は該装置の構成を示す図であり、図９に示すように、情報伝送装置９００は第１送信部９０１及び第２送信部９０２を含む。第１送信部９０１は、同一のリソースを用いてユーザ装置（ＵＥ）に該ＵＥの第１情報及び第２情報を送信する。第２送信部９０２は、該ＵＥに、該ＵＥの第２情報を送信するためのリソースに該ＵＥの第１情報が重畳されていることを該ＵＥに示すための指示情報を送信する。
【００７７】
ここで、第１情報は該ＵＥの制御チャネル上のデータであり、第２情報は該ＵＥのデータチャネル上のデータであり、或いは、第１情報は該ＵＥのデータチャネル上のデータであり、第２情報は該ＵＥの制御チャネル上のデータである。
【００７８】
ここで、該リソースは、時間領域リソース、周波数領域リソース、空間領域リソース及び／又は符号領域リソースであってもよい。
【００７９】
本実施例では、第２送信部９０２は、上記第２情報又は予め構成された情報を介して上記指示情報を送信してもよい。
【００８０】
本実施例では、該予め構成された情報は、該ＵＥの第２情報を送信するためのリソースに該ＵＥの第１情報が重畳された期間をさらに含んでもよい。
【００８１】
本実施例の装置は、ＵＥの制御チャネルに該ＵＥのデータを重畳することで、ＵＥの制御チャネル領域のシステム容量を向上でき、システムの全体的な容量を向上できる。
【００８２】
＜実施例６＞
本発明の実施例は非直交多元接続技術に基づく情報伝送装置をさらに提供し、該装置はＵＥに適用される。該装置の課題解決の原理は実施例２の方法と同様であるため、その具体的な実施は実施例２の方法の実施を参照してもよく、同様な内容について説明を省略する。
【００８３】
図１０は該装置の構成を示す図であり、図１０に示すように、情報伝送装置１０００は受信部１００１及び処理部１００２を含む。受信部１００１は、ｅＮＢにより送信された、該ＵＥの第２情報を送信するためのリソースに該ＵＥの第１情報が重畳されていることを示すための指示情報を受信する。処理部１００２は、該ＵＥの第２情報を送信するためのリソースで該ＵＥの第２情報を復調し、該ＵＥの第２情報による干渉をキャンセルし、該ＵＥの第１情報を取得する。
【００８４】
ここで、第１情報、第２情報及び指示情報の内容及び送信方式は実施例１と同様であり、ここでその説明を省略する。
【００８５】
本実施例の装置は、ＵＥの制御チャネルに該ＵＥのデータを重畳することで、ＵＥの制御チャネル領域のシステム容量を向上でき、システムの全体的な容量を向上できる。
【００８６】
＜実施例７＞
本発明の実施例は非直交多元接続技術に基づく情報伝送装置をさらに提供し、該装置はｅＮＢに適用される。該装置の課題解決の原理は実施例３の方法と同様であるため、その具体的な実施は実施例３の方法の実施を参照してもよく、同様な内容について説明を省略する。
【００８７】
図１１は該装置の構成を示す図であり、図１１に示すように、情報伝送装置１１００は第１送信部１１０１及び第２送信部１１０２を含む。第１送信部１１０１は、ＵＥに該ＵＥの第１情報又は第２情報を送信する。該第１情報又は第２情報を送信するためのリソースは第３情報を送信するためのリソースと同一である。第２送信部１１０２は、該ＵＥに、該ＵＥの第１情報若しくは第２情報を送信するためのリソースに第３情報が重畳されていることを該ＵＥに示すための指示情報及び／又は該第３情報を復調するための識別情報を送信する。
【００８８】
ここで、第１情報、第２情報、第３情報、指示情報、識別情報の内容及び送信方式は実施例３と同様であり、ここでその説明を省略する。
【００８９】
本実施例では、該第３情報は、１つ又は複数の他のＵＥの制御情報であってもよい。
【００９０】
本実施例では、第２送信部１１０２は、該ＵＥの第１情報又は第２情報と該第３情報との重畳が出現するサブフレームにおいて該指示情報及び／又は該識別情報を送信し、或いは予め構成された情報を介して該指示情報及び／又は該識別情報を送信してもよい。
【００９１】
ここで、該予め構成された情報は、該ＵＥの第１情報又は第２情報を送信するためのリソースに該第３情報が重畳された期間をさらに含んでもよい。
【００９２】
本実施例の装置は、ＵＥの制御チャネル又はデータチャネルに他のＵＥの制御チャネル上のデータを重畳することで、ＵＥの制御チャネル領域又はデータチャネル領域のシステム容量を向上でき、システムの全体的な容量を向上できる。
【００９３】
＜実施例８＞
本発明の実施例は非直交多元接続技術に基づく情報伝送装置をさらに提供し、該装置はＵＥに適用される。該装置の課題解決の原理は実施例４の方法と同様であるため、その具体的な実施は実施例４の方法の実施を参照してもよく、同様な内容について説明を省略する。
【００９４】
図１２は該装置の構成を示す図であり、図１２に示すように、情報伝送装置１２００は受信部１２０１及び処理部１２０２を含む。受信部１２０１は、ｅＮＢにより送信された、該ＵＥの第１情報若しくは第２情報を送信するためのリソースに第３情報が重畳されていることを該ＵＥに示すための指示情報及び／又は該第３情報を復調するための識別情報を受信する。処理部１２０２は、該第３情報を復調するための識別情報を用いて、該第３情報を送信するためのリソースで該第３情報を復調し、該第３情報による干渉をキャンセルし、該ＵＥの第１情報又は第２情報を取得する。
【００９５】
ここで、第１情報、第２情報、第３情報、指示情報、識別情報の内容及び送信方式は実施例３と同様であり、ここでその説明を省略する。
【００９６】
本実施例では、処理部１２０２は、受信部１２０１が該ｅＮＢにより送信された該指示情報のみを受信した場合、該第３情報を復調するための識別情報を取得し、取得された該識別情報を用いて、該第３情報を送信するためのリソースで該第３情報を復調する。
【００９７】
本実施例では、処理部１２０２は、受信部１２０１が該ｅＮＢにより送信された該識別情報のみを受信した場合、該ＵＥの第１情報又は第２情報を送信するためのリソースに第３情報が重畳されていると決定し、受信された該識別情報を用いて、該第３情報を送信するためのリソースで該第３情報を復調する。
【００９８】
本実施例では、処理部１２０２は、受信部１２０１が該ｅＮＢにより送信された該指示情報及び該識別情報を受信した場合、該ＵＥの第１情報又は第２情報を送信するためのリソースに第３情報が重畳されていると決定し、受信された該識別情報を用いて、該第３情報を送信するためのリソースで該第３情報を復調する。
【００９９】
本実施例の装置は、ＵＥの制御チャネル又はデータチャネルに他のＵＥの制御チャネル上のデータを重畳することで、ＵＥの制御チャネル領域又はデータチャネル領域のシステム容量を向上でき、システムの全体的な容量を向上できる。
【０１００】
＜実施例９＞
本発明の実施例は、実施例５又は７に記載された非直交多元接続技術に基づく情報伝送装置を含む基地局をさらに提供する。
【０１０１】
図１３は本発明の実施例の基地局の構成を示す図である。図１３に示すように、基地局１３００は、中央処理装置（ＣＰＵ）１３０１及び記憶装置１３０２を含んでもよく、記憶装置１３０２は中央処理装置１３０１に接続される。記憶装置１３０２は、各種のデータを記憶してもよいし、情報処理のプログラムをさらに記憶してもよく、中央処理装置１３０１の制御で該プログラムが実行され、ユーザ装置により送信された各種の情報を受信し、ユーザ装置に各種の情報を送信する。
【０１０２】
１つの態様では、非直交多元接続技術に基づく情報伝送装置の機能は中央処理装置１３０１に統合されてもよい。
【０１０３】
もう１つの態様では、非直交多元接続技術に基づく情報伝送装置は中央処理装置１３０１とそれぞれ構成されてもよく、例えば非直交多元接続技術に基づく情報伝送装置は中央処理装置１３０１に接続されたチップであり、中央処理装置１３０１の制御により非直交多元接続技術に基づく情報伝送装置の機能を実現してもよい。
【０１０４】
また、図１３に示すように、基地局１３００は、送受信機１３０３及びアンテナ１３０４等をさらに含んでもよい。ここで、上記部材の機能は従来技術と類似し、ここでその説明を省略する。なお、基地局１３００は図１３に示す全てのユニットを含む必要がない。また、基地局１３００は、図１３に示されていないユニットをさらに含んでもよく、従来技術を参照してもよい。
【０１０５】
本実施例の基地局によれば、ＵＥの制御チャネルに該ＵＥ又は他のＵＥのデータを重畳することで、ＵＥの制御チャネル領域のシステム容量を向上でき、システムの全体的な容量を向上できる。
【０１０６】
＜実施例１０＞
本発明の実施例は、実施例６又は８に記載された非直交多元接続技術に基づく情報伝送装置を含むユーザ装置をさらに提供する。
【０１０７】
図１４は本発明の実施例のユーザ装置１４００のシステム構成を示す図である。図１４に示すように、ユーザ装置１４００は、中央処理装置１４０１及び記憶装置１４０２を含んでもよく、記憶装置１４０２は中央処理装置１４０１に接続される。なお、該図は単なる例示的なものであり、電気通信機能又は他の機能を実現するように、他の種類の構成を用いて、該構成を補充又は代替してもよい。
【０１０８】
１つの態様では、非直交多元接続技術に基づく情報伝送装置の機能は中央処理装置１４０１に統合されてもよい。
【０１０９】
もう１つの態様では、非直交多元接続技術に基づく情報伝送装置は中央処理装置１４０１とそれぞれ構成されてもよく、例えば非直交多元接続技術に基づく情報伝送装置は中央処理装置１４０１に接続されたチップであり、中央処理装置１４０１の制御により非直交多元接続技術に基づく情報伝送装置の機能を実現してもよい。
【０１１０】
図１４に示すように、ユーザ装置１４００は、通信モジュール１４０３、入力部１４０４、音声処理装置１４０５、ディスプレイ１４０６、及び電源１４０７をさらに含んでもよい。なお、ユーザ装置１４０は図１４に示す全てのユニットを含む必要がない。また、ユーザ装置１４００は、図１４に示されていないユニットをさらに含んでもよく、従来技術を参照してもよい。
【０１１１】
図１４に示すように、中央処理装置１４０１は、コントローラ又は操作制御部とも称され、マイクロプロセッサ又は他の処理装置及び／又は論理装置を含んでもよく、中央処理装置１４０１は入力を受け付け、ユーザ装置１４００の各部の操作を制御する。
【０１１２】
ここで、記憶装置１４０２は、例えばバッファ、フラッシュメモリ、ハードディスク、移動可能な媒体、発揮性メモリ、不発揮性メモリ、又は他の適切な装置の１つ又は複数であってもよい。上記第１情報、第２情報、指示情報、識別情報に関する情報を記憶してもよいし、関連情報を実行するためのプログラムをさらに記憶してもよい。また、中央処理装置１４０１は、記憶装置１４０２に記憶されたプログラムを実行し、情報の記憶又は処理などを実現してもよい。他の部材は従来技術に類似するため、ここでその説明が省略される。端末装置１４００の各部は、本発明の範囲から逸脱することなく、特定のハードウェア、ファームウェア、ソフトウェア又はその組み合わせによって実現されてもよい。
【０１１３】
本実施例のユーザ装置によれば、ＵＥの制御チャネルに該ＵＥ又は他のＵＥのデータを重畳することで、ＵＥの制御チャネル領域のシステム容量を向上でき、システムの全体的な容量を向上できる。
【０１１４】
＜実施例１１＞
本発明の実施例は、実施例９に記載された基地局及び実施例１０に記載されたユーザ装置を含む通信システムをさらに提供する。
【０１１５】
図１５は本発明の実施例の通信システムの構成を示す図である。図１５に示すように、通信システム１５００は基地局１５０１及びユーザ装置１５０２を含む。ここで、基地局１５０１は実施例９に記載された基地局１３００であってもよく、ユーザ装置１５０２は実施例１０に記載されたユーザ装置１５００であってもよい。上記実施例において基地局及びユーザ装置を詳細に説明しているため、その内容をここで援用し、ここでその説明を省略する。
【０１１６】
本実施例の通信システムによれば、ＵＥの制御チャネルに該ＵＥ又は他のＵＥのデータを重畳することで、ＵＥの制御チャネル領域のシステム容量を向上でき、システムの全体的な容量を向上できる。
【０１１７】
本発明の実施例は、情報処理装置又はユーザ装置においてプログラムを実行する際に、コンピュータに、実施例２又は４に記載の非直交多元接続技術に基づく情報伝送方法を該情報処理装置又はユーザ装置において実行させる、コンピュータ読み取り可能なプログラムをさらに提供する。
【０１１８】
本発明の実施例は、コンピュータに、実施例２又は４に記載の非直交多元接続技術に基づく情報伝送方法を情報処理装置又はユーザ装置において実行させるためのコンピュータ読み取り可能なプログラムを記憶する、記憶媒体をさらに提供する。
【０１１９】
本発明の実施例は、情報処理装置又は基地局においてプログラムを実行する際に、コンピュータに、実施例１又は３に記載の非直交多元接続技術に基づく情報伝送方法を該情報処理装置又は基地局において実行させる、コンピュータ読み取り可能なプログラムをさらに提供する。
【０１２０】
本発明の実施例は、コンピュータに、実施例１又は３に記載の非直交多元接続技術に基づく情報伝送方法を情報処理装置又は基地局において実行させるためのコンピュータ読み取り可能なプログラムを記憶する、記憶媒体をさらに提供する。
【０１２１】
本発明の以上の装置及び方法は、ハードウェアにより実現されてもよく、ハードウェアとソフトウェアを結合して実現されてもよい。本発明はコンピュータが読み取り可能なプログラムに関し、該プログラムは論理部により実行される時に、該論理部に上述した装置又は構成要件を実現させる、或いは該論理部に上述した各種の方法又はステップを実現させることができる。論理部は、例えばフィールドプログラマブルロジックデバイス、マイクロプロセッサ、コンピュータに用いられるプロセッサなどである。本発明は上記のプログラムを記憶するための記憶媒体、例えばハードディスク、磁気ディスク、光ディスク、ＤＶＤ、フラッシュメモリ等に関する。
【０１２２】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2018515022.tif 000003
【図２】
2018515022.tif 000004
【図３】
2018515022.tif 000005
【図４】
2018515022.tif 000006
【図５】
2018515022.tif 000007
【図６】
2018515022.tif 000008
【図７】
2018515022.tif 000009
【図８】
2018515022.tif 000010
【図９】
2018515022.tif 000011
【図１０】
2018515022.tif 000012
【図１１】
2018515022.tif 000013
【図１２】
2018515022.tif 000014
【図１３】
2018515022.tif 000015
【図１４】
2018515022.tif 000016
【図１５】
2018515022.tif 000017
【手続補正書】
【提出日】平成29年11月8日(2017.11.8)
【手続補正１】
【補正対象書類名】明細書
【補正対象項目名】００５４
【補正方法】変更
【補正の内容】
【００５４】
本実施例では、ＵＥがそのデータを正しく復調するのを確保するために、該ｅＮＢはＵＥに指示情報及び／又は識別情報をさらに送信する。ここの指示情報は、該ＵＥの第１情報又は第２情報を送信するためのリソースに第３情報が重畳されていることを該ＵＥに示すために用いられ、ここの識別情報は、該第３情報を復調するために用いられる。
【手続補正２】
【補正対象書類名】明細書
【補正対象項目名】００６０
【補正方法】変更
【補正の内容】
【００６０】
図６に示すように、該ｅＮＢはＵＥ１のＰＤＣＣＨ／ｅＰＤＣＣＨとＵＥ２のＰＤＳＣＨを同一のリソースに重畳して送信する。ここで、ＵＥ１のＰＤＣＣＨ／ｅＰＤＣＣＨに割り当てられた電力はＰ１であり、ＵＥ２のＰＤＳＣＨに割り当てられた電力はＰ２である。ＵＥ２がそのＰＤＳＣＨでキャリーされたデータを復調するのを補助するために、該ｅＮＢは、ＵＥ１のＰＤＣＣＨ／ｅＰＤＣＣＨ及びＵＥ２のＰＤＳＣＨに関する電力、並びにＵＥ１のＰＤＣＣＨ／ｅＰＤＣＣＨ及びＵＥ２のＰＤＳＣＨの変調復調方式をＵＥ２に通知することだけではなく、ＵＥ１のＰＤＣＣＨ／ｅＰＤＣＣＨを復調するために必要なユーザ識別子に関する情報、例えばＵＥ１のＣ−ＲＮＴＩ、ＳＰＳ−ＲＮＴＩ、ＳＩ−ＲＮＴＩ、Ｐ−ＲＮＴＩ、ＲＡ−ＲＮＴＩ等をＵＥ２にさらに送信する。ＵＥ２は、上記情報を受信した場合、ＵＥ１のＰＤＣＣＨ／ｅＰＤＣＣＨでキャリーされたデータを復調して、該ＵＥ１のＰＤＣＣＨ／ｅＰＤＣＣＨでキャリーされたデータをキャンセルして、自分のＰＤＳＣＨでキャリーされたデータを復調してもよい。同様に、該ＵＥ２は、逐次干渉キャンセル（ＳＩＣ）技術を用いてＵＥ１のＰＤＣＣＨ／ｅＰＤＣＣＨによる干渉をキャンセルしてもよいし、他の技術を用いてもよい。
【手続補正３】
【補正対象書類名】明細書
【補正対象項目名】０１１０
【補正方法】変更
【補正の内容】
【０１１０】
図１４に示すように、ユーザ装置１４００は、通信モジュール１４０３、入力部１４０４、音声処理装置１４０５、ディスプレイ１４０６、及び電源１４０７をさらに含んでもよい。なお、ユーザ装置１４００は図１４に示す全てのユニットを含む必要がない。また、ユーザ装置１４００は、図１４に示されていないユニットをさらに含んでもよく、従来技術を参照してもよい。
【手続補正４】
【補正対象書類名】明細書
【補正対象項目名】０１１５
【補正方法】変更
【補正の内容】
【０１１５】
図１５は本発明の実施例の通信システムの構成を示す図である。図１５に示すように、通信システム１５００は基地局１５０１及びユーザ装置１５０２を含む。ここで、基地局１５０１は実施例９に記載された基地局１３００であってもよく、ユーザ装置１５０２は実施例１０に記載されたユーザ装置１４００であってもよい。上記実施例において基地局及びユーザ装置を詳細に説明しているため、その内容をここで援用し、ここでその説明を省略する。
【手続補正５】
【補正対象書類名】図面
【補正対象項目名】図１４
【補正方法】変更
【補正の内容】
【図１４】
2018515022.tif 000018
【国際調査報告】
2018515022.tif 000019
2018515022.tif 000020
2018515022.tif 000021
2018515022.tif 000022